(57)【要約】【課題】坂道や路肩等の傾斜面においても安定した状態で設置することができる路上用看板を提供すること。【解決手段】キャスター１を介して路上に載置される基台２と、該基台２に立設された看板部３とを備えた路上用看板において、基台２に、基台２の端部を持ち上げて支持するスタンド４を設ける。【選択図】図１
2005157151.tif 000002
【特許請求の範囲】
【請求項１】
キャスターを介して路上に載置される基台と、該基台に立設された看板部とを備えた路上用看板において、前記基台に、基台の端部を持ち上げて支持するスタンドを設けたことを特徴とする路上用看板。
【請求項２】
前記スタンドの脚部を摺動可能に支持し、かつ任意の位置で固定する高さ調整機構を設けたことを特徴とする請求項１記載の路上用看板。
【発明の詳細な説明】
【技術分野】
【０００１】
本発明は、路上用看板に関し、特に、坂道や路肩等の傾斜面においても安定した状態で設置することができる路上用看板に関するものである。
【背景技術】
【０００２】
従来、移動可能な床置き式看板として、路上用看板がある。
この路上用看板は、キャスターを介して路上に載置される基台と、該基台に立設された看板部とを備え、店の開店時間に合わせて歩道や道路端などに設置される。
【０００３】
しかしながら、上記従来の路上用看板は、路上にそのまま載置されることから、坂道や路肩等の傾斜面ではキャスターが回転して転がったり、看板が傾いたりするという問題を有している。
【発明の開示】
【発明が解決しようとする課題】
【０００４】
本発明は、上記従来の路上用看板が有する問題点に鑑み、坂道や路肩等の傾斜面においても安定した状態で設置することができる路上用看板を提供することを目的とする。
【課題を解決するための手段】
【０００５】
キャスターを介して路上に載置される基台と、該基台に立設された看板部とを備えた路上用看板において、前記基台に、基台の端部を持ち上げて支持するスタンドを設けたことを特徴とする。
【０００６】
この場合において、前記スタンドの脚部を摺動可能に支持し、かつ任意の位置で固定する高さ調整機構を設けることができる。
【発明の効果】
【０００７】
本発明の路上用看板によれば、キャスターを介して路上に載置される基台と、該基台に立設された看板部とを備えた路上用看板において、前記基台に、基台の端部を持ち上げて支持するスタンドを設けることから、坂道や路肩等の傾斜面においても、スタンドを降ろして立てることにより、基台の端部を所要高さに持ち上げるとともにキャスターを浮かせることができ、これにより、転がったり傾いたりすることなく看板を安定した状態で設置することができる。
【０００８】
この場合、前記スタンドの脚部を摺動可能に支持し、かつ任意の位置で固定する高さ調整機構を設けることにより、傾斜の度合いに応じてスタンドの高さを調整し、看板を真っ直ぐに立てることができる。
【発明を実施するための最良の形態】
【０００９】
以下、本発明の路上用看板の実施の形態を図面に基づいて説明する。
【実施例１】
【００１０】
図１に、本発明の路上用看板の第１実施例を示す。
この路上用看板は、キャスター１を介して路上に載置される基台２と、該基台２に立設された看板部３とを備えている。
そして、本実施例では、かかる路上用看板において、前記基台２に、基台２の端部を持ち上げて支持するスタンド４を設けている。
【００１１】
基台２は、その下部の４隅にキャスター１が設けられるとともに、中央上部に看板部３が立設されている。
また、看板部３には、電飾や通常の表示により店名や広告を掲示することができる。
【００１２】
スタンド４は、基台２の少なくとも対向する２隅（必要に応じて、４隅）に固定されたスタンド台５に揺動可能に枢着されており、その枢着軸６より下部側とスタンド台５との間には、引っ張りばね７が架設されている。
スタンド台５には、図２にも示すように、引っ張りばね７により引き上げた状態でスタンド４の脚部４１の下部側が当接し、かつ降ろして立てた状態でスタンド脚部４１の上部側が当接するストッパ５１が設けられている。
【００１３】
スタンド４は、本実施例では、図３に示すように、コ字状の接地部４２の両端から１対の脚部４１を立ち上げ、２本の脚部４１がスタンド台５に枢着されているが、例えば、図４に示すように、Ｌ字の板状に形成したスタンド４の一端を、基台２の側面に揺動可能に枢着することによっても構成することができる。この場合も、スタンド４の枢着軸６より下部側と基台２との間には、引っ張りばね７を架設するとともに、基台２には、スタンド４を引っ張りばね７により引き上げた状態と、降ろして立てた状態とでスタンド４が当接するストッパ２１ａ、２１ｂが設けられている。
【実施例２】
【００１４】
次に、図５〜図６に、本発明の路上用看板の第２実施例を示す。
この路上用看板は、キャスター１を介して路上に載置される基台２と、該基台２に立設された看板部３とを備え、前記基台２に、基台２の端部を持ち上げて支持するスタンド４を設けるとともに、スタンド４の脚部４１を摺動可能に支持し、かつ任意の位置で固定する高さ調整機構８を設けている。
【００１５】
スタンド４は、基台２の少なくとも一端部中央位置（必要に応じて、両端部中央位置）に固定されたスタンド台５に、高さ調整機構８を介して揺動可能に枢着されており、高さ調整機構８の枢着軸６より下部側とスタンド台５との間には、引っ張りばね７が架設されている。
高さ調整機構８は、スタンド台５に揺動可能に枢着されるとともに、スタンド４の脚部４１を嵌挿する筒状部８１と、該筒上部８１に交差方向で螺合し、締着することによりスタンド４の脚部４１に係止して固定する固定ねじ８２とを備えている。
また、高さ調整機構８は、引っ張りばね７により引き上げた状態でスタンド台５に当接する一方、スタンド４を降ろして立てた状態でスタンド台５に当接するようになっており、これにより、スタンド４の位置決めをしている。
なお、スタンド４は、図５に示すように、脚部４１を１本で構成したり、図６に示すように、２本で構成することができる。スタンド４の脚部４１を２本とした場合も、固定ねじ８２は１箇所にすることができる。
【００１６】
かくして、本第１、第２各実施例の路上用看板は、キャスター１を介して路上に載置される基台２と、該基台２に立設された看板部３とを備えた路上用看板において、前記基台２に、基台２の端部を持ち上げて支持するスタンド４を設けることから、坂道や路肩等の傾斜面においても、スタンド４を降ろして立てることにより、基台２の端部を所要高さに持ち上げるとともにキャスター１を浮かせることができ、これにより、転がったり傾いたりすることなく看板を安定した状態で設置することができる。
この場合、前記スタンド４の脚部４１を摺動可能に支持し、かつ任意の位置で固定する高さ調整機構８を設けることにより、傾斜の度合いに応じてスタンド４の高さを調整し、看板を真っ直ぐに立てることができる。
【００１７】
以上、本発明の路上用看板について、複数の実施例に基づいて説明したが、本発明は上記実施例に記載した構成に限定されるものではなく、その趣旨を逸脱しない範囲において適宜構成を変更することができる。
【産業上の利用可能性】
【００１８】
本発明の路上用看板は、坂道や路肩等の傾斜面においても看板を転がったり傾いたりすることなく安定した状態で設置できるという特性を有していることから、広告や工事の表示等に用いられるキャスターが付いた路上用看板に広く用いることができる。
【図面の簡単な説明】
【００１９】
【図１】本発明の路上用看板の第１実施例を示し、（ａ）は路上用看板の概略正面図、（ｂ）はスタンドを上げた状態を示す部分拡大正面図、（ｃ）はスタンドを降ろして立てた状態を示す部分拡大正面図である。
【図２】同路上用看板のスタンド台を示し、（ａ）は側面図、（ｂ）は正面図、（ｃ）は底面図である。
【図３】同路上用看板のスタンドを示し、（ａ）は側面図、（ｂ）は正面図、（ｃ）は底面図である。の２面図である。
【図４】スタンドの他の例を示す部分拡大図である。
【図５】本発明の路上用看板の第２実施例を示し、（ａ）はスタンドを上げた状態を示す部分拡大正面図、（ｂ）は同部分拡大右側面図である。
【図６】スタンドの他の例を示す部分拡大右側面図である。
【符号の説明】
【００２０】
１    キャスター
２    基台
３    看板部
４    スタンド
４１  脚部
４２  接地部
５    スタンド台
５１  ストッパ
６    枢着軸
７    引っ張りばね
８    高さ調整機構
８１  筒上部
８２  固定ねじ
【図１】
2005157151.tif 000003
【図２】
2005157151.tif 000004
【図３】
2005157151.tif 000005
【図４】
2005157151.tif 000006
【図５】
2005157151.tif 000007
【図６】
2005157151.tif 000008